(57)【要約】【課題】複信通話における音声送信中の不快な「ブツブツ音」の対策を行う無線機及び無線機の音声制御方式を提供する。【解決手段】ＶＯＸ５６は、音声コーデック７０ａの受信音声出力部７１から出力される音声信号の有無を検出する機器である。また、レシーバＡＭＰ５２ａは、常にレシーバ５１に対してミュート信号を出力する機器である。ＶＯＸ５６が音声信号を検出すると、ＶＯＸ５６はレシーバＡＭＰ５２ａにミュート解除信号を出力する。ヘッドセット５０のレシーバＡＭＰ５２ａは、ＶＯＸ５６からのミュート解除信号を入力すると、レシーバ５１対する音声出力のミュートを解除する。ＶＯＸ５６が音声信号を検出しないときは、ＶＯＸ５６はレシーバＡＭＰ５２ａにミュート解除信号を出力しない。ヘッドセット５０のレシーバＡＭＰ５２ａは、ＶＯＸ５６からのミュート解除信号を入力しないときには、レシーバ５１に対する音声出力のミュート信号を出力する。【選択図】図１
2011223207.tif 000002
【特許請求の範囲】
【請求項１】
一つの周波数により複信通話を行うＴＤＭＡ方式の無線機であって、
音声信号を入力する音声信号入力手段と、
前記音声信号入力手段が入力する前記音声信号の有無を検出する音声有無検出手段と、
音声の出力を停止する音声出力停止手段と、
前記音声の出力の停止を解除する音声出力停止解除手段とを備え、
前記音声有無検出手段が前記音声信号を検出しないとき前記音声出力停止手段により前記音声の出力を停止し、前記音声有無検出手段が前記音声信号を検出したとき前記音声出力停止解除手段により前記音声を出力することで、送信タイミングが発生する音声送信時間帯に前記音声の出力を停止することを特徴とする無線機。
【発明の詳細な説明】
【技術分野】
【０００１】
本発明は、一つの通信周波数を複数のチャネルで時間的に分割して使用する方式である時分割多元接続方式（以下、ＴＤＭＡ方式という）の無線機に係り、特に相手と交互に通話を行う無線機及び無線機の音声制御方式に関する。
【背景技術】
【０００２】
通信相手と交互に通話を行う無線機においては、音声を送信する時間帯（以下、音声送信時間帯という）と音声を受信する時間帯（以下、音声受信時間帯）に分けられている。また、１つの通信周波数を送信と受信で使用するＴＤＭＡ方式の無線機は、音声送信時間帯に連続して電波を送信する従来のアナログ無線機と異なり、図５に示すフレーム構成のように音声送信時間帯であっても、時分割で送信と受信または受信待ちとの切り替えを行っているので断続的に電波が送信される。
【０００３】
１つの通信周波数を送信と受信で使用する場合におけるＴＤＭＡ方式のフレーム構成について説明する。図５に示すフレーム構成は、１つの通信周波数を４つのチャネルで時間的に分割して使用する例であり、チャネル１からチャネル４までが一つの基本フレームとなる。このようなフレーム構成において、基本フレームの長さを４チャネル（４０ｍｓ）として、送信時間と受信または受信待ちする時間（以下、受信／待受時間という）とを１：３の比率で繰り返すとき、送信が１チャネル（１０ｍｓ）、受信／待受は２〜３チャネル（３０ｍｓ）となる。つまり１つの通信周波数において、送信の送信時間１０ｍｓが経過すると受信／待受に切り替えられ、また受信／待受時間３０ｍｓが経過すると送信に切り替えられる。
【０００４】
このように音声送信時間帯に送信と受信／待受とを繰り返すことにより、電波が断続的に送信されるタイミング（以下、送信タイミングという）で、音声信号を入力するレシーバやスピーカのライン（＋、−）に電流が誘導され、レシーバやスピーカの音声信号に直流変動が発生する。送信タイミングと、この送信タイミングに同期して発生する直流変動との関係を図６に示す。レシーバやスピーカの音声信号に発生するこの直流変動は、使用者に不快な「ブツブツ音」となって聞こえる。「ブツブツ音」は、レシーバを耳に当てているヘッドセットの使用者にとっては、特に耐え難いものとなる。従って、ヘッドセットから使用者の音声を入力して送信しているときには、レシーバからの音声出力のミュート（停止）を行うようにしていた。
【０００５】
従来の実施例に係る１つの通信周波数を送信と受信で使用する場合におけるＴＤＭＡ方式の無線機について説明する。
【０００６】
まず、図７を参照して従来の実施例に係るＴＤＭＡ方式の無線機１００の構成について説明する。無線機１００は、相手と交互に通話が行われる無線機であるので、図７に示すように、通常は２台の無線機１００で構成される。また、無線機１００は、無線機本体１０、アンテナ２０、スピーカ３０、ハンドセット４０、及びヘッドセット５０から構成されている。ハンドセット４０とヘッドセット５０には、音声を入力するマイクと音声を出力するレシーバが取り付けられている。また、スピーカ３０、ハンドセット４０、及びヘッドセット５０については、これら全てを無線機本体１０に取り付ける必要はなく、この中の一つまたは二つの装置を取り付けるだけでもよい。無線機本体１０は、アンテナ２０を経由して他の無線機本体１０から受信した音声信号をスピーカ３０、ハンドセット４０、及びヘッドセット５０に出力する装置である。また、無線機本体１０は、ハンドセット４０またはヘッドセット５０のマイクから入力した音声信号をアンテナ２０を経由して他の無線機本体１０に出力する装置である。スピーカ３０は、無線機本体１０から入力した音声信号を音声に変換し、周囲に聞こえる音量で出力する機器である。ハンドセット４０は、使用者が手に持って使用するもので、マイクから入力した音声を音声信号に変換して無線機本体１０に出力し、また無線機本体１０から入力した音声信号を音声に変換してレシーバに出力する機器である。ヘッドセット５０は、頭に装着して使用するもので、マイクから入力した音声を音声信号に変換して無線機本体１０に出力し、また無線機本体１０から入力した音声信号を音声に変換してレシーバに出力する機器である。
【０００７】
次に、従来の実施例に係る無線機１００における音声の入出力処理を行う音声入出力部２００の機能構成について説明する。図８に音声入出力部２００の機能構成を示す。音声入出力部２００は、スピーカ部３０、ハンドセット部４０、ヘッドセット部５０、及び音声コーデック７０から構成される。スピーカ部３０は、図７に示すスピーカ３０に対応し、スピーカ３１とスピーカＡＭＰ３２を備えている。ハンドセット部４０は、図７に示すハンドセット４０に対応し、レシーバ４１、レシーバＡＭＰ４２、ＰＴＴ（Push To Talk）スイッチ４３、マイク４４、及びマイクＡＭＰ４５を備えている。ヘッドセット部５０は、図７に示すハンドセット５０に対応し、レシーバ５１、レシーバＡＭＰ５２、マイク５３、マイクＡＭＰ５４、及びＰＴＴスイッチ５５を備えている。スピーカＡＭＰ３２、レシーバＡＭＰ４２、マイクアンプ４５、レシーバＡＭＰ５２、及びマイクアンプ５４は、音声信号を増幅する増幅器である。ＰＴＴスイッチ４３は、使用者によってマイク４４から音声を入力するときに「オン」され、音声の入力を終了するときに「オフ」されるスイッチである。同様にＰＴＴスイッチ５５も、使用者によってマイク５３から音声を入力するときに「オン」され、音声の入力を終了するときに「オフ」されるスイッチである。音声コーデック７０は、無線機本体１０が受信した音声信号をデジタル変換方式により符号化（以下、エンコードという）または復号（以下、デコードという）を行い、相手側の無線機１００と送受信を行う装置である。音声コーデック７０には、受信音声出力部７１、ハンドセットＰＴＴ入力部７２、ハンドセットマイク入力部７３、ヘッドセットマイク入力部７４、及びヘッドセットＰＴＴ入力部７５の部位が設けられている。
【０００８】
このような音声入出力部２００において、無線機本体１０が受信した音声信号は、音声コーデック７０によりデコードが行われると受信音声出力部７１から、スピーカＡＭＰ３２を介してスピーカ３１と、レシーバＡＭＰ４２を介してレシーバ４１と、レシーバＡＭＰ５２を介してレシーバ５１とに出力される。ハンドセット４０のＰＴＴスイッチ４３が「オン」されてハンドセットＰＴＴ信号が音声コーデック７０のハンドセットＰＴＴ入力部７２に入力されると、マイクＡＭＰ４５から出力される音声信号は、ハンドセットマイク入力部７３から音声コーデック７０に入力されエンコードが行われ、相手側の無線機１００に送信される。このハンドセットＰＴＴ信号を相手側の無線機１００が受信することで、相手側は音声の入力を停止する。このようにしてハンドセット４０は、交互の通話が可能となる。ハンドセット４０のマイク４４から入力される音声は、マイク４４で音声信号に変換されマイクＡＭＰ４５を介してハンドセットマイク入力部７３に出力される。
【０００９】
ヘッドセット５０のマイク５３から入力される音声は、マイク５３で音声信号に変換されマイクＡＭＰ５４を介してヘッドセットマイク入力部７４に出力される。ヘッドセット５０のＰＴＴスイッチ５５が「オン」のときにＰＴＴスイッチ５５から出力されるヘッドセットＰＴＴ信号は、音声コーデック７０のヘッドセットＰＴＴ入力部７５とレシーバＡＭＰ５２に出力される。この状態において、ヘッドセットＡＭＰ５４から出力される音声信号は、ヘッドセットマイク入力部７４から音声コーデック７０に入力されエンコードが行われ、相手側の無線機１００に送信される。送信された音声信号を相手側の無線機１００が受信することで、相手側は音声をレシーバ５１から出力する。このようにしてハンドセット４０は、交互の通話が可能となる。また、ヘッドセット５０のレシーバＡＭＰ５２は、ミュート端子を備え、ヘッドセットＰＴＴ信号（以下、ミュート信号という）をミュート端子から入力すると、レシーバ５１に対する音声信号出力のミュートを行う。尚、ハンドセット４０のＰＴＴスイッチ４３が「オン」のときにＰＴＴスイッチ４３から出力されるハンドセットＰＴＴ信号については、ヘッドセットＰＴＴ信号のようにレシーバＡＭＰ４２には出力しない。この理由については、後述する図９において説明する。
【００１０】
以上のような音声入出力部２００において、スピーカ部３０、ハンドセット部４０、及びヘッドセット部５０は、通信形態に基づいて音声信号の送受信をおこなう。通信形態には、双方向通信において時間を区切って片方から通信を行う半二重の音声通信（以下、単信通話という）形態と、同時に双方から通信を行う全二重の音声通信（以下、複信通話という）形態がある。以下、無線機１００の単信通話と複信通話における音声通信の流れについて説明する。
【００１１】
図９を参照して単信通話におけるヘッドセット５０の音声通信について説明する。単信通話では、図９の（１）と（２）に示すように送信する音声信号（送信音声）と受信する音声信号（受信音声）が一つの通信回線で交互に通信される。このような（１）の「送信音声」のときに、（４）に示すようにＰＴＴスイッチ５５は「オン」され、（２）の「受信音声」のときに、（４）に示すようにＰＴＴスイッチ５５は「オフ」される。従って、（４）のＰＴＴスイッチ５５が「オン」のときには、ＰＴＴスイッチ５５からレシーバＡＭＰ５２にミュート信号が出力されるので、（５）のレシーバ５１の音声出力は「オフ」となる。また、（４）のＰＴＴスイッチ５５が「オフ」のときには、ＰＴＴスイッチ５５からレシーバＡＭＰ５２にミュート信号が出力されないので、（５）のレシーバ５１の音声出力は「オン」となる。このように、（１）の「送信音声」の時間帯（音声送信時間帯）に（３）の送信タイミングが発生していても、（５）のレシーバ５１の音声出力を「オフ」とすることで、送信タイミングで発生する直流変動による「ブツブツ音」の対策を行っている。
【００１２】
図１０を参照して複信通話におけるハンドセット４０の音声通信について説明する。複信通話では、図１０の（１）と（２）に示すように送信する音声信号（送信音声）と受信する音声信号（受信音声）が別々の通信回線であっても、交互に通信される。しかし、（１）の送信音声と（２）の受信音声は、別の通信回線となるので、（１）の送信音声は、常に音声送信時間帯である。このため（３）に示すように常に送信タイミングが発生する。従って、（１）の「送信音声」のときに、ハンドセット４０のＰＴＴスイッチ４３からレシーバＡＭＰ４２にミュート信号を出力しても、（３）に示すように常に送信タイミングが発生しているので、ＰＴＴスイッチ４３からレシーバＡＭＰ４２にミュート信号の出力は行われない。従って、レシーバ４１は、ＰＴＴスイッチ４３からミュート信号を入力しないのでの、（４）に示すように音声出力は「オン」のままとなる。このように、複信通話におけるハンドセット４０では、送信タイミングで発生する直流変動による「ブツブツ音」の対策を行うことはできない。
【００１３】
以上で説明したように、従来の実施例に係るＴＤＭＡ方式の無線機１００において、単信通話では、直流変動による「ブツブツ音」の対策を行うことができるが、複信通話では対策を行うことができない。
【００１４】
単信と複信に関する通信技術として下記特許文献１がある。特許文献１では、ローコストな音声コーデックである半二重通信用の音声通常コーデックを２個備えることで全二重通信を確立し、さらに、半二重用音声コーデック１個を備えて切換え手段を設けることで全二重通信を確立することで、複信方式の通信が可能なデジタル移動無線システムを提供している。
【先行技術文献】
【特許文献】
【００１５】
【特許文献１】特開２００５−３４７９２３
【発明の概要】
【発明が解決しようとする課題】
【００１６】
特許文献１の複信方式による通信方法であっても、半二重用音声コーデックを利用して全二重通信を確立することができるが、複信通話における直流変動による「ブツブツ音」の対策を行うことができない。以上説明した従来技術では、ＰＴＴスイッチを用いた単信通話では、送信状態においてレシーバやスピーカなどから音声の出力を行わないようにすることで、直流変動による「ブツブツ音」の対策を行っている。しかし、複信通話では有効な対策が取られておらず、直流変動による「ブツブツ音」の対策を行うには通信形態を単信通話に限定せざるを得ないという問題があった。
【００１７】
本発明はこのような状況に鑑みてなされたものであり、上記課題を解決できる無線システムを提供することを目的とする。
【課題を解決するための手段】
【００１８】
本発明の無線機は、一つの周波数により複信通話を行うＴＤＭＡ方式の無線機であって、音声信号を入力する音声信号入力手段と、前記音声信号入力手段が入力する前記音声信号の有無を検出する音声有無検出手段と、音声の出力を停止する音声出力停止手段と、前記音声の出力の停止を解除する音声出力停止解除手段とを備え、前記音声有無検出手段が前記音声信号を検出しないとき前記音声出力停止手段により前記音声の出力を停止し、前記音声有無検出手段が前記音声信号を検出したとき前記音声出力停止解除手段により前記音声を出力することで、送信タイミングが発生する音声送信時間帯に前記音声の出力を停止することを特徴としている。
【発明の効果】
【００１９】
本発明によれば、複信通話における音声送信中の不快な「ブツブツ音」の対策を行うことができ、また無線機１００の通信品質を向上させる無線機及び無線機の音声制御方式を提供することができる。
【図面の簡単な説明】
【００２０】
【図１】本発明の実施形態１に係わる無線機の音声入出力部の機能構成を示す図である。
【図２】本発明の実施形態１に係わる無線機の複信通話における音声通信の流れを示す図である。
【図３】本発明の実施形態２に係わる無線機の音声入出力部の機能構成を示す図である。
【図４】本発明の実施形態２に係わる無線機の複信通話における音声通信の流れを示す図である。
【図５】従来の実施例に係わる無線機のフレーム構成を示す図である。
【図６】従来の実施例に係わる無線機の送信タイミングと直流変動の関係を示す図である。
【図７】従来及び本発明の実施例に係わる無線機の構成を示す図である。
【図８】従来の実施例に係わる無線機の音声入出力部の機能構成を示す図である。
【図９】従来の実施例に係わる無線機の単信通話における音声通信の流れを示す図である。
【図１０】従来の実施例に係わる無線機の複信通話における音声通信の流れを示す図である。
【発明を実施するための形態】
【００２１】
（第１の実施形態）
以下、本発明を実施するための実施形態１を、図面を参照して説明する。実施形態１は、従来技術におけるヘッドセット５０のＰＴＴスイッチ５５によるミュート信号の出力を、ＰＴＴスイッチ５５でなく受信音声を検出するＶＯＸ（Voice Operation Transmission）により行う複信通話の形態である。このように、実施形態１は複信通話であり、ＰＴＴスイッチを用いずに相手と通話を行うものである。
【００２２】
本発明の実施形態１に係る無線機１００ａの構成は、図７に示す従来の実施例に係る無線機１００の構成において、ヘッドセット５０をヘッドセット５０ａに変更する以外は、同じである。また、本発明の実施形態１に係るフレーム構成は、図５に示す従来の実施例に係る無線機１００におけるフレーム構成に同じである。
【００２３】
次に、実施形態１に係る無線機１００ａにおける音声の入出力処理を行う音声入出力部２００ａの機能構成について説明する。図１に音声入出力部２００ａの機能構成を示す。音声入出力部２００ａは、スピーカ部３０、ハンドセット部４０、ヘッドセット部５０ａ、及び音声コーデック７０ａから構成されている。スピーカ部３０とハンドセット部４０は、従来の実施例に同じである。ヘッドセット部５０ａは、レシーバ５１、レシーバＡＭＰ５２ａ、マイク５３、マイクＡＭＰ５４、及びＶＯＸ５６を備えている。レシーバ５１、マイク５３、及びマイクＡＭＰ５４は、従来の実施例に同じである。音声コーデック７０ａは、ヘッドセット部５０ａがＰＴＴスイッチ５５を備えていないため、ヘッドセットＰＴＴ入力部７５の部位は設けられていないが、それ以外は従来の実施例の音声コーデック７０に同じである。
【００２４】
従来の実施例に係る無線機１００と異なる部位であるＶＯＸ５６とレシーバＡＭＰ５２ａについて説明する。ＶＯＸ５６は、音声コーデック７０ａの受信音声出力部７１から出力される音声信号の有無を検出する機器である。また、レシーバＡＭＰ５２ａは、レシーバ５１に対して受信した音声信号を出力する機器である。ＶＯＸ５６が音声信号を検出すると、ＶＯＸ５６はレシーバＡＭＰ５２ａにミュート解除信号を出力する。そして、ヘッドセット５０ａのレシーバＡＭＰ５２ａは、ＶＯＸ５６からのミュート解除信号を入力すると、レシーバ５１対する音声出力のミュートを解除する。また、ＶＯＸ５６が音声信号を検出しないときは、ＶＯＸ５６はレシーバＡＭＰ５２ａにミュート解除信号を出力しない。そして、ヘッドセット５０ａのレシーバＡＭＰ５２ａは、ＶＯＸ５６からのミュート解除信号を入力しないときには、レシーバ５１に対する音声出力をミュートする。
【００２５】
次に、図２を参照して実施形態１の複信通話におけるヘッドセット５０ａの音声通信について説明する。複信通話では、図２の（１）と（２）に示すように送信する音声信号（送信音声）と受信する音声信号（受信音声）が別々の通信回線で通信される。しかし、（１）の送信音声と（２）の受信音声は、別の通信回線となるので、（１）の送信音声は、常に音声送信時間帯である。このため（３）に示すように常に送信タイミングが発生する。ＶＯＸ５６は、音声コーデック７０ａの受信音声出力部７１から出力される音声信号を検出したときにはレシーバＡＭＰ５２ａにミュート解除信号を出力するので、（４）のレシーバ５１の音声出力は「オン」となる。また、ＶＯＸ５６は、音声コーデック７０ａの受信音声出力部７１から出力される音声信号を検出しないときには、レシーバＡＭＰ５２ａにミュート解除信号を出力しないので、（４）のレシーバ５１の音声出力は「オフ」となる。このように、（２）の「受信音声」の時間帯のみに（４）のレシーバ５１の音声出力を「オン」とするが、（１）の「送信音声」の時間帯ではレシーバ５１の音声出力は「オフ」となるので、送信タイミングで発生する直流変動による「ブツブツ音」の対策を行うことができる。
【００２６】
以上の実施形態１において、ＶＯＸ５６が音声信号を検出してレシーバ５１の音声出力を「オフ」するまでに若干の遅れが生じることがある。この若干の遅れについては、通話を開始する前に、お互いに予め決めておいた文言などで確認を行ってから本論に入るようにすることで、解消することができる。
【００２７】
以上のような実施形態１によれば、レシーバ５１の音声出力は通常は「オフ」で、使用者の耳には何も聞こえないが、相手側から音声を受信したときに、その音声信号をＶＯＸ５６が検出することで、レシーバ５１の音声出力を「オン」とすることができる。このように、複信通話における音声送信中の不快な「ブツブツ音」の対策を行うことができるので、復信通話でのヘッドセットの使用が可能となる。また、無線機１００ａの通信品質を向上させることができる。
【００２８】
（第２の実施形態）
以下、本発明を実施するための実施形態２を、図面を参照して説明する。実施形態２は、従来技術におけるヘッドセット５０のＰＴＴスイッチ５５によるミュート信号の出力を、送信タイミングの変化点でミュート信号を出力させる複信通話の形態である。このように、実施形態２は複信通話であり、ＰＴＴスイッチを用いずに相手と通話を行うものである。
【００２９】
本発明の実施形態２に係る無線機１００ｂの構成は、図７に示す従来の実施例に係る無線機１００の構成において、ヘッドセット５０をヘッドセット５０ｂに変更する以外は、同じである。また、本発明の実施形態２に係るフレーム構成は、図５に示す従来の実施例に係る無線機１００におけるフレーム構成に同じである。
【００３０】
次に、実施形態２に係る無線機１００ｂにおける音声の入出力処理を行う音声入出力部２００ｂの機能構成について説明する。図３に音声入出力部２００ｂの機能構成を示す。音声入出力部２００ｂは、スピーカ部３０、ハンドセット部４０、ヘッドセット部５０ｂ、及び音声コーデック７０ａから構成されている。スピーカ部３０とハンドセット部４０は、従来の実施例に同じである。ヘッドセット部５０ｂは、レシーバ５１、レシーバＡＭＰ５２、マイク５３、マイクＡＭＰ５４、及びミュートタイミング発生部５８を備えている。ミュートタイミング発生部５８には、無線部５７が接続される。レシーバ５１、レシーバＡＭＰ５２、マイク５３、及びマイクＡＭＰ５４は、従来の実施例に同じである。音声コーデック７０ａは、実施形態１の音声コーデック７０ａに同じであり、ヘッドセット部５０ｂがＰＴＴスイッチ５５を備えていないため、ヘッドセットＰＴＴ入力部７５の部位は設けられていないが、それ以外は従来の実施例の音声コーデック７０に同じである。
【００３１】
従来の実施例に係る無線機１００と異なる部位である無線部５７とミュートタイミング発生部５８について説明する。無線部５７は、無線機１００ｂにおける図６に示す送信タイミングの変化点を検出し、ミュートタイミング発生部５８に出力する機器である。ミュートタイミング発生部５８は、無線部５７から送信タイミングの変化点を入力すると、レシーバＡＭＰ５２にミュート信号を出力する。また、ミュートタイミング発生部５８は、無線部５７から送信タイミングの変化点が出力されないときには、レシーバＡＭＰ５２にミュート信号を出力しない。
【００３２】
次に、図４を参照して実施形態２の複信通話におけるヘッドセット５０ｂの音声通信について説明する。（３）の送信タイミングの拡大図を（３）'に、（４）のレシーバ５１の音声出力の拡大図を（４）'に示す。複信通話では、図４の（１）と（２）に示すように送信する音声信号（送信音声）と受信する音声信号（受信音声）が別々の通信回線で通信される。しかし、（１）の送信音声と（２）の受信音声は、別の通信回線となるので、（１）の送信音声は、常に音声送信時間帯である。このため（３）に示すように常に送信タイミングが発生する。ヘッドセット５０ｂのミュートタイミング発生部５８は、（３）の送信タイミングの変化点でレシーバＡＭＰ５２にミュート信号を出力するので、（４）のレシーバ５１の音声出力は、送信タイミングの変化点で「オフ」となる。また、ヘッドセット５０ｂのミュートタイミング発生部５８は、（３）の送信タイミングの変化点以外ではレシーバＡＭＰ５２にミュート信号を出力しないので、（４）のレシーバ５１の音声出力は、送信タイミングの変化点以外では「オン」となる。このように、（１）の「送信音声」の時間帯に（３）の送信タイミングが発生していても、（３）の送信タイミングの変化点で（４）のレシーバ５１の音声出力を「オフ」とすることで、送信タイミングの変化で発生する直流変動による「ブツブツ音」の対策を行うことができる。
【００３３】
以上のような実施形態２によれば、無線部５７から出力する送信タイミング信号から送信から受信／待受、受信／待受から送信への変化点で、ミュートタイミング発生部５８がレシーバ５１の音声出力を短時間「オフ」することができる。このように、複信通話における音声送信中の不快な「ブツブツ音」の対策を行うことができるので、復信通話でのヘッドセットの使用が可能となる。また、無線機１００ｂの通信品質を向上させることができる。
【００３４】
実施形態１と実施形態２においては、レシーバを耳に当てるため「ブツブツ音」の影響を受けやすいヘッドセットについて説明したが、スピーカやハンドセットについても適用できる。また、実施形態１と実施形態２では、ヘッドセットが１台の場合について適用する実施例について説明したが、ヘッドセット、スピーカ、及びハンドセットなどが複数台存在する場合であってもよい。
【００３５】
以上、具体的な実施の形態により本発明を説明したが、上記実施の形態は本発明の例示であり、この実施の形態に限定されないことは言うまでもない。
【００３６】
以上をまとめると、本発明は次のような特徴を有する。
（１） 本発明の無線機は、一つの周波数により複信通話を行うＴＤＭＡ方式の無線機であって、音声信号を入力する音声信号入力手段と、前記音声信号入力手段が入力する前記音声信号の有無を検出する音声有無検出手段と、音声の出力を停止する音声出力停止手段と、前記音声の出力の停止を解除する音声出力停止解除手段とを備え、前記音声有無検出手段が前記音声信号を検出しないとき前記音声出力停止手段により前記音声の出力を停止し、前記音声有無検出手段が前記音声信号を検出したとき前記音声出力停止解除手段により前記音声を出力することで、送信タイミングが発生する音声送信時間帯に前記音声の出力を停止することを特徴としている。
（２）（１）の前記音声有無検出手段は、ＶＯＸであることを特徴としている。
（３）（１）または（２）の前記音声停止手段と前記音声停止解除手段は、レシーバＡＭＰの出力をミュート又はミュート解除する手段であることを特徴としている。
（４）本発明の無線機は、一つの周波数により複信通話を行うＴＤＭＡ方式の無線機であって、送信タイミングを入力する送信タイミング入力手段と、前記送信タイミング入力手段で入力した前記送信タイミングから変化点を検出する変化点検出手段と、前記音声の出力を停止する音声出力停止手段とを備え、前記変化点検出手段が前記送信タイミングの前記変化点を検出したときに、前記音声出力停止手段により前記音声の出力を停止することを特徴としている。
（５）（４）の前記音声停止手段は、レシーバＡＭＰにより前記音声の出力を停止することを特徴としている。
（６）本発明の無線機の音声制御方式は、一つの周波数により複信通話を行うＴＤＭＡ方式の無線機であって、音声信号を入力する音声信号入力工程と、前記音声信号入力工程が入力する前記音声信号の有無を検出する音声有無検出工程と、音声の出力を停止する音声出力停止工程と、前記音声の出力の停止を解除する音声出力停止解除工程とを備え、前記音声有無検出工程が前記音声信号を検出しないとき前記音声出力停止工程により前記音声の出力を停止し、前記音声有無検出工程が前記音声信号を検出したとき前記音声出力停止解除工程により前記音声を出力することで、送信タイミングが発生する音声送信時間帯に前記音声の出力を停止することを特徴としている。
（７）本発明の無線機の音声制御方式は、一つの周波数により複信通話を行うＴＤＭＡ方式の無線機の音声制御方式であって、送信タイミングを入力する送信タイミング入力工程と、前記送信タイミング入力工程で入力した前記送信タイミングから変化点を検出する変化点検出工程と、音声の出力を停止する音声出力停止工程とを備え、前記変化点検出工程が前記送信タイミングの前記変化点を検出したときに、前記音声出力停止工程により前記音声の出力を停止することを特徴としている。
【産業上の利用可能性】
【００３７】
本発明は、無線機に好適であるが、無線機に限られるものではなく、電波を断続的に送信することによる電波被りの影響を受けるシステム一般に適用可能である。
【符号の説明】
【００３８】
１０・・・・・・・・無線機本体
２０・・・・・・・・アンテナ
３０・・・・・・・・スピーカ
３１・・・・・・・・スピーカ
３２・・・・・・・・スピーカＡＭＰ
４０・・・・・・・・ハンドセット
４１・・・・・・・・レシーバ
４２・・・・・・・・レシーバＡＭＰ
４３・・・・・・・・ＰＴＴスイッチ
４４・・・・・・・・マイク
４５・・・・・・・・マイクＡＭＰ
５０・・・・・・・・ヘッドセット
５０ａ・・・・・・・ヘッドセット
５０ｂ・・・・・・・ヘッドセット
５１・・・・・・・・レシーバ
５２・・・・・・・・レシーバＡＭＰ
５３・・・・・・・・マイク
５４・・・・・・・・マイクＡＭＰ
５５・・・・・・・・ＰＴＴスイッチ
５６・・・・・・・・VOX
５７・・・・・・・・無線部
５８・・・・・・・・ミュートタイミング発生部
７０・・・・・・・・音声コーデック
７０ａ・・・・・・・音声コーデック
７１・・・・・・・・受信音声出力部
７２・・・・・・・・ハンドセットＰＴＴ入力部
７３・・・・・・・・ハンドセットマイク入力部
７４・・・・・・・・ヘッドセットマイク入力部
７５・・・・・・・・ヘッドセットＰＴＴ入力部
１００・・・・・・・・無線機
１００ａ・・・・・・・無線機
１００ｂ・・・・・・・無線機
２００・・・・・・・・音声入出力部
２００ａ・・・・・・・音声入出力部
２００ｂ・・・・・・・音声入出力部
【図１】
2011223207.tif 000003
【図２】
2011223207.tif 000004
【図３】
2011223207.tif 000005
【図４】
2011223207.tif 000006
【図５】
2011223207.tif 000007
【図６】
2011223207.tif 000008
【図７】
2011223207.tif 000009
【図８】
2011223207.tif 000010
【図９】
2011223207.tif 000011
【図１０】
2011223207.tif 000012